【手続補正書】
【提出日】平成24年10月15日(2012.10.15)
【手続補正１】
【補正対象書類名】特許請求の範囲
【補正対象項目名】全文
【補正方法】変更
【補正の内容】
【特許請求の範囲】
【請求項１】
一対の側壁及び一対の側壁間に架橋されたブラケットを有するフレームと、搬送装置を備えかつフレームに着脱可能に取り付けられる鑑別装置と、鑑別装置をフレームに着脱可能に取り付ける連結装置とを備え、
連結装置は、フレームの側壁及び鑑別装置の側壁の一方に形成されるカム案内部と、フレームの側壁及び鑑別装置の側壁の他方に形成されかつカム案内部に係止する従動部とを備えることを特徴とする紙葉類取扱装置。
【請求項２】
カム案内部は、従動部を介してブラケットから離間して鑑別装置の搬送装置の移動を案内する遠位通路と、遠位通路を通過した鑑別装置をフレームの取付位置に案内する接近通路とを備える請求項１に記載の紙葉類取扱装置。
【請求項３】
遠位通路は、ブラケットに対向して配置される遠位面と、遠位面に向って突出する突起面とを備える請求項２に記載の紙葉類取扱装置。
【請求項４】
接近通路は、遠位面から連続してブラケット側に傾斜する第１の傾斜面と、第１の傾斜面に平行に突起面から連続してブラケット側に傾斜する第２の傾斜面とを備える請求項３に記載の紙葉類取扱装置。
【請求項５】
カム案内部は、接近通路の端部に連続してブラケット側に設けられる係止通路を有する請求項４に記載の紙葉類取扱装置。
【請求項６】
係止通路は、遠位面に平行にかつ第２の傾斜面に連続して延伸する近位面と、遠位面に平行にかつ第１の傾斜面に連続して延伸する係止面と、近位面と係止面との間に形成される当接面とを備える請求項５に記載の紙葉類取扱装置。
【請求項７】
従動部は、第１の従動面と、第１の従動面に対し平行で一定間隔離間する第２の従動面とを備える請求項１に記載の紙葉類取扱装置。
【請求項８】
従動部は、第１の従動面に連続する第３の傾斜面と、第１の従動面に対し平行で第３の傾斜面に連続する第３の従動面と、第３の従動面に連続する第４の傾斜面とを備える請求項７に記載の紙葉類取扱装置。
【請求項９】
従動部は、第３の従動面に対して平行で第４の傾斜面に連続する第４の従動面と、第２の傾斜面に平行に第２の従動面に連続する第５の傾斜面と、第２の従動面に平行でかつ第５の傾斜面に連続する第５の従動面とを備える請求項８に記載の紙葉類取扱装置。
【請求項１０】
フレームの一対の側壁に対して直角にブラケットを配置した請求項１に記載の紙葉類取扱装置。
【請求項１１】
連結装置のカム案内部及び従動部の一方を垂直に配置されるフレームの一対の側壁に形成し、
連結装置のカム案内部及び従動部の他方を垂直に配置される鑑別装置の一対の側壁に形成し、
水平に配置される鑑別装置の底壁から搬送装置の一部が下方に突出する請求項１０に記載の紙葉類取扱装置。
【請求項１２】
フレームは、一対の側壁の後部間を接続する後壁を備え、
ブラケットは、一対の側壁の前部間を接続し、
カム案内部と従動部との一方をフレームの一対の側壁に形成し、
カム案内部と従動部との他方を鑑別装置の側壁に形成した請求項１に記載の紙葉類取扱装置。
【請求項１３】
鑑別装置の引抜方向の移動を阻止するラッチ装置を鑑別装置とブラケットとの間に設けた請求項１に記載の紙葉類取扱装置。
【請求項１４】
フレームに取り付けられて鑑別装置から搬送される紙葉を収納する収納装置を備え、
収納装置は、鑑別装置からの紙葉が通過する紙葉取入口と、紙葉取入口を通過する紙葉を収納する収容空間と、収容空間内の紙葉を紙葉収納部内に押込む押込装置とを備え、
鑑別装置は、鑑別装置内で紙葉を搬送する搬送装置により駆動される駆動歯車を有し、
収納装置は、押込装置を駆動する従動歯車を有し、
鑑別装置がフレームの取付位置に移動されるとき、搬送装置の駆動歯車は、押込装置の従動歯車に駆動連結され、搬送装置により従動歯車を回転して押込装置を作動する請求項１に記載の紙葉類取扱装置。
【請求項１５】
鑑別装置は、底面から突出する複数の防御突起を有し、
収納装置は、上面に形成される複数の係合溝を有し、
鑑別装置の駆動歯車は、複数の防御突起間に配置され、
押込装置の従動歯車は、複数の係合溝間に配置され、
鑑別装置がフレームの取付位置に移動されるとき、搬送装置の駆動歯車は、押込装置の従動歯車に駆動連結されると共に、複数の防御突起は、収納装置の係合溝内に嵌合される請求項１４に記載の紙葉類取扱装置。
【手続補正２】
【補正対象書類名】明細書
【補正対象項目名】０００９
【補正方法】変更
【補正の内容】
【０００９】
本発明による紙葉類取扱装置は、一対の側壁(41)及び一対の側壁(41)間に架橋されたブラケット(7)を有するフレーム(1)と、搬送装置(102)を備えかつフレーム(1)に着脱可能に取り付けられる鑑別装置(2)と、鑑別装置(2)をフレーム(1)に着脱可能に取り付ける連結装置(4)とを備える。連結装置(4)は、フレーム(1)の側壁(41)及び鑑別装置(2)の側壁(51)の一方に形成されるカム案内部(5)と、フレーム(1)の側壁(41)及び鑑別装置(2)の側壁(51)の他方に形成されかつカム案内部(5)に係止する従動部(6)とを備える。本発明のように、フレーム(1)の側壁(41)と鑑別装置(2)の側壁(51)との間に着脱可能な連結装置(4)を設けると、カム案内部(5)と従動部(6)との間に付加的構成部品を設ける必要がない点で有利である。また、本実施の形態では、カム案内部(5)は、従動部(6)を介してブラケット(7)から離間して鑑別装置(2)の搬送装置(102)の移動を案内する遠位通路(10)と、遠位通路(10)を通過した鑑別装置(2)をフレーム(1)の取付位置に案内する接近通路(11)とを備える。遠位通路(10)に沿う従動部(6)の移動により、鑑別装置(2)の搬送装置(102)をブラケット(7)に接触させずに、遠位通路(10)に沿って従動部(6)を案内できるので、搬送装置(102)に機械的損傷を回避して、鑑別装置(2)をフレーム(1)に係合することができる。
【手続補正３】
【補正対象書類名】明細書
【補正対象項目名】００１６
【補正方法】変更
【補正の内容】
【００１６】
図２及び図４に示すように、鑑別装置(2)の搬送装置を構成する駆動歯車(26)が鑑別装置(2)に設けられ、図３及び図５に示すように、押込装置(105)の従動歯車(27)が収納装置(3)内に設けられる。例えば、当接面(22)に接触する係止通路(12)の最奥部に従動部(6)が配置されて、鑑別装置(2)と収納装置(3)とをフレーム(1)に正しく取り付けた図１３に示す装着位置では、従動歯車(27)は、駆動歯車(26)に適切かつ直接的に駆動連結される。図４に示すように、鑑別装置(2)内の図示しない紙幣の搬送通路の出口となる搬送通路出口(55)と、搬送装置(102)の駆動歯車(26)を外部に露出させる開口部(57)とが鑑別装置(2)の底面(52)に設けられる。鑑別装置(2)は、紙幣を搬送する搬送装置(102)により回転する少なくとも１対の駆動歯車(26)を有する。駆動歯車(26)は、収納装置(3)内に設けられて収納装置(3)内で紙幣を搬送する図示しない収納搬送装置を駆動すると共に、収納装置(3)内の押込装置(105)を駆動する。例えば、駆動歯車(26)は、正転時に収納搬送装置を駆動し、逆転時に押込装置(105)を駆動する。この場合に、駆動歯車(26)の逆転時に収納搬送装置の逆転を防止する一方向回転クラッチを設けることができる。１対の駆動歯車(26)の各々少なくとも一部は、歯車開口部(57)の開口面を越えて露出して、収納装置(3)の従動歯車(27)に駆動連結される。
【手続補正４】
【補正対象書類名】明細書
【補正対象項目名】００１７
【補正方法】変更
【補正の内容】
【００１７】
また、鑑別装置(2)の底面(52)から収納装置方向に突出する複数の防御突起(58)が駆動歯車(26)の周辺に設けられる。防御突起(58)の突出量は、駆動歯車(26)の突出量と同一か又はそれ以上に設定され、駆動歯車(26)の周辺を包囲する。防御突起(58)は、紙幣の搬送通路出口(55)に対して直角にかつ互いに平行に延伸する。図５に示すように、鑑別装置(2)の底面(52)に平行に設けられる収納装置(3)の上面(62)には、搬送される紙幣を受け入れる紙幣取入口(63)と、上面(62)上で紙幣取入口(63)に対して直角方向に帯状に伸びる複数の係合溝(64)とが設けられる。収納装置(3)の上面(62)から内側に窪む係合溝(64)は、収納装置(3)の上面(62)に長さ方向に延伸する。押込装置(105)の従動歯車(27)を外部に露出させる開口部(67)が係合溝(64)に設けられ、係合溝(64)の内側に細長い複数の突起(65)が設けられる。フレーム(1)に鑑別装置(2)を装着する際に、鑑別装置(2)の防御突起(58)は、係合溝(64)に係合されると共に、鑑別装置(2)の駆動歯車(26)と防御突起(58)との間に複数の突起(65)が嵌合され、鑑別装置(2)の搬送通路出口(55)と収納装置(3)の紙幣取入口(63)とを整合させる。
【手続補正５】
【補正対象書類名】明細書
【補正対象項目名】００３１
【補正方法】変更
【補正の内容】
【００３１】
(1)・・フレーム、  (2)・・鑑別装置、  (3)・・収納装置、  (4)・・連結装置、  (5)・・カム案内部、  (6)・・従動部、  (7)・・ブラケット、  (7a)・・開口部、  (8)・・ラッチ装置、  (10)・・遠位通路、  (11)・・接近通路、  (12)・・係止通路、  (13)・・遠位面、  (14)・・突起面、  (15)・・第１の傾斜面、  (16)・・第２の傾斜面、  (19)・・入口傾斜面、  (20)・・近位面、  (21)・・係止面、  (22)・・当接面、  (23)・・入口、  (24)・・縁部、  (25)・・突起、  (26)・・駆動歯車、  (27)・・従動歯車、  (31)・・第１の従動面、  (32)・・第２の従動面、  (33)・・第３の従動面、  (34)・・第４の従動面、  (35)・・第５の従動面、  (36)・・第３の傾斜面、  (37)・・第４の傾斜面、  (38)・・第５の傾斜面、  (39)・・端面、  (41)・・側壁、  (42)・・後壁、  (51)・・側壁、  (52)・・底面、  (53)・・紙幣挿入口、  (55)・・搬送通路出口、  (57)・・歯車開口部、  (58)・・防御突起、  (62)・・上面、  (63)・・紙幣取入口、  (64)・・係合溝、  (65)・・突起、  (70)・・接近平面、  (71)・・平坦突起、  (77)・・凹部、  (81)・・係止レバー、  (82)・・作動レバー、  (83)・・ハンドル、  (84)・・軸、  (85)・・ストッパ、  (85a)・・レバー傾斜面、  (86)・・スプリング、  (87)・・ピン、  (88)・・軸、  (89)・・付勢端部、  (90)・・長孔、  (100)・・紙幣取扱装置、  (101)・・鑑別装置、  (102)・・搬送装置、  (103)・・収納装置、  (104)・・紙幣収納部、  (105)・・押込装置、  (106)・・ケース、  (108)・・収容空間、  (109)・・搬送通路出口、  (110)・・紙幣取入口、  (111)・・フレーム、  (112)・・従動歯車、  (113)・・駆動歯車、  (115)・・ブラケット、  (116)・・滑動連結構造、